(57)【要約】【課題】リースする緊急防災商品の交換時期を案内できると共に、商品の交換又は補充を円滑且つ容易に行なうことができる緊急防災商品リース管理システムを提供する。【解決手段】インターネット２を介して顧客端末３と通信自在に接続されるサーバ４が、顧客情報ＤＢ５と、リース情報ＤＢ６と、Ｗｅｂページを格納するＷｅｂサイト７とを備えた緊急防災商品リース管理システム１であって、サーバ４は、定期的にリース情報ＤＢ６に基づき、Ｗｅｂページの緊急防災商品の交換時期の到来を知らせる案内情報を更新するＷｅｂページ更新手段２１と、顧客端末３からアクセスがあると、Ｗｅｂページを送信するＷｅｂページ送信手段２５と、顧客端末３からＷｅｂページを介して緊急防災商品の注文を受信する注文受信手段２６と、注文に基づく発送が行なわれと、発送に基づくデータの入力により、リース情報ＤＢ６を更新するリース情報ＤＢ更新手段２７とを備えている。【選択図】図１
2010061554.tif 000002
【特許請求の範囲】
【請求項１】
インターネットを介して顧客端末と通信自在に接続されるサーバが、顧客情報を格納する顧客情報データベースと、緊急防災商品のリース情報を格納するリース情報データベースと、緊急防災商品のリース情報を掲載するＷｅｂページを格納するＷｅｂサイトとを備えた緊急防災商品リース管理システムであって、
前記サーバは、定期的に前記リース情報データベースにアクセスし、前記リース情報データベースのリース情報に基づき、前記Ｗｅｂページのリース情報について、緊急防災商品の交換時期の到来を知らせる案内情報を更新するＷｅｂページ更新手段と、
前記顧客端末から前記Ｗｅｂページにアクセスがあると、前記Ｗｅｂページを送信するＷｅｂページ送信手段と、
前記顧客端末から前記Ｗｅｂページを介して緊急防災商品の注文を受信する注文受信手段と、
前記注文に基づく発送が行なわれと、前記発送に基づくデータの入力により、前記リース情報データベースを更新するリース情報データベース更新手段とを備えたことを特徴とする緊急防災商品リース管理システム。
【請求項２】
インターネットを介して顧客端末と通信自在に接続されるサーバが、顧客情報を格納する顧客情報データベースと、緊急防災商品のリース情報を格納するリース情報データベースと、緊急防災商品のリース情報を掲載するＷｅｂページを格納するＷｅｂサイトとを備えた緊急防災商品リース管理システムであって、
前記サーバは、定期的に前記リース情報データベースにアクセスし、前記リース情報データベースのリース情報に基づき、前記Ｗｅｂページのリース情報について、緊急防災商品の交換時期の到来を知らせる案内情報を更新するＷｅｂページ更新手段と、
前記リース情報データベースから、緊急防災商品の交換時期がまもなく到来する情報を定期的に抽出する抽出手段と、
抽出した情報に基づき、緊急防災商品の交換時期がまもなく到来することと、Ｗｅｂページの閲覧を促すメールを前記顧客情報データベースから抽出したメールアドレスを付与して顧客別に作成するメール作成手段と、
作成したメールを顧客端末に送信するメール送信手段と、
前記顧客端末から前記Ｗｅｂページにアクセスがあると、前記Ｗｅｂページを送信するＷｅｂページ送信手段と、
前記顧客端末から前記Ｗｅｂページを介して緊急防災商品の注文を受信する注文受信手段と、
前記注文に基づく発送が行なわれと、前記発送に基づくデータの入力により、前記リース情報データベースを更新するリース情報データベース更新手段とを備えたことを特徴とする緊急防災商品リース管理システム。
【発明の詳細な説明】
【技術分野】
【０００１】
本発明は、インターネットを介して顧客端末と通信自在に接続されるサーバにより、リースする緊急防災商品の交換時期を案内できると共に、商品の交換又は補充を円滑且つ容易に行なうことができる緊急防災商品リース管理システムに関する。
【背景技術】
【０００２】
近年、地震、台風、風水害等の災害が多発していることから、災害に備えて防災用品を常備する家庭や、会社も増加している。
然しながら、今だ防災用品を常備しない家庭や、会社もあり、又、常備した防災用品が、実際には、メンテナンスされず、購入後、何年も放置される場合があり、その場合、中味が使えなくなってしまう虞がある。
そこで、前述の問題を解決するため、例えば、防災用品をリースして、一定期間で交換する方法があるが、その方法は、その殆どが人手を介して行なわれており、防災用品をリースする方法や、防災商品を交換する方法について具体的にシステム化されたものはない。
【０００３】
尚、この種技術の先行文献として、例えば、特許文献１には、レンタル物品管理システムが記載されている。具体的には、特許文献１は、図書に装着されたＲＦＩＤに記憶されているＩＤ情報を読み込んで、借用記録として記憶すると共に、図書館サーバにネットワークを介して送信するＲＦＩＤリーダ付貸出用携帯端末と、ＲＦＩＤリーダ付貸出用携帯端末によって送信される図書のＩＤ情報を貸出データ記憶手段に記憶する図書館サーバとを備えたレンタル物品管理システムが記載されている。
【特許文献１】特開２００５−２８４９４４号公報
【発明の開示】
【発明が解決しようとする課題】
【０００４】
前述したように、今だ防災用品を常備しない家庭や、会社があり、又、常備した防災用品が、実際には、メンテナンスされないまま放置される場合があり、これらの問題を解決することが望まれている。
又、防災用品をリースする場合に於いても、そのリースの方法、及び防災商品を交換する方法が円滑に行なわれるシステムが望まれている。
【０００５】
以上の現状に鑑み、本発明は、リースする緊急防災商品の交換時期を案内できると共に、商品の交換又は補充を円滑且つ容易に行なうことができる緊急防災商品リース管理システムを提供することを目的とする。
【課題を解決するための手段】
【０００６】
上記の課題を解決すべく、本発明は以下の構成を提供する。
請求項１に係る発明は、インターネットを介して顧客端末と通信自在に接続されるサーバが、顧客情報を格納する顧客情報データベースと、緊急防災商品のリース情報を格納するリース情報データベースと、緊急防災商品のリース情報を掲載するＷｅｂページを格納するＷｅｂサイトとを備えた緊急防災商品リース管理システムであって、
前記サーバは、定期的に前記リース情報データベースにアクセスし、前記リース情報データベースのリース情報に基づき、前記Ｗｅｂページのリース情報について、緊急防災商品の交換時期の到来を知らせる案内情報を更新するＷｅｂページ更新手段と、
前記顧客端末から前記Ｗｅｂページにアクセスがあると、前記Ｗｅｂページを送信するＷｅｂページ送信手段と、
前記顧客端末から前記Ｗｅｂページを介して緊急防災商品の注文を受信する注文受信手段と、
前記注文に基づく発送が行なわれと、前記発送に基づくデータの入力により、前記リース情報データベースを更新するリース情報データベース更新手段とを備えたことを特徴とする緊急防災商品リース管理システムを提供するものである。
【０００７】
請求項２に係る発明は、インターネットを介して顧客端末と通信自在に接続されるサーバが、顧客情報を格納する顧客情報データベースと、緊急防災商品のリース情報を格納するリース情報データベースと、緊急防災商品のリース情報を掲載するＷｅｂページを格納するＷｅｂサイトとを備えた緊急防災商品リース管理システムであって、
前記サーバは、定期的に前記リース情報データベースにアクセスし、前記リース情報データベースのリース情報に基づき、前記Ｗｅｂページのリース情報について、緊急防災商品の交換時期の到来を知らせる案内情報を更新するＷｅｂページ更新手段と、
前記リース情報データベースから、緊急防災商品の交換時期がまもなく到来する情報を定期的に抽出する抽出手段と、
抽出した情報に基づき、緊急防災商品の交換時期がまもなく到来することと、Ｗｅｂページの閲覧を促すメールを前記顧客情報データベースから抽出したメールアドレスを付与して顧客別に作成するメール作成手段と、
作成したメールを顧客端末に送信するメール送信手段と、
前記顧客端末から前記Ｗｅｂページにアクセスがあると、前記Ｗｅｂページを送信するＷｅｂページ送信手段と、
前記顧客端末から前記Ｗｅｂページを介して緊急防災商品の注文を受信する注文受信手段と、
前記注文に基づく発送が行なわれと、前記発送に基づくデータの入力により、前記リース情報データベースを更新するリース情報データベース更新手段とを備えたことを特徴とする緊急防災商品リース管理システムを提供するものである。
【発明の効果】
【０００８】
本発明の請求項１記載の発明によれば、緊急防災商品の交換時期の到来をＷｅｂページにて案内できると共に、Ｗｅｂページを介して緊急防災商品の注文を受け付け、緊急防災商品の交換又は補充を円滑且つ容易に行なうことができる緊急防災商品リース管理システムを提供することが可能である。
本発明は、特に、顧客が、緊急防災商品を消費したり、紛失したり、損壊した場合等、顧客が自主的に緊急防災商品を注文する場合に好適に利用できる。
【０００９】
本発明の請求項２記載の発明によれば、緊急防災商品の交換時期の到来をメール及びＷｅｂページにて案内できると共に、Ｗｅｂページを介して緊急防災商品の注文を受け付け、緊急防災商品の交換又は補充を円滑に行なうことができる緊急防災商品リース管理システムを提供することが可能である。
本発明は、緊急防災商品の交換時期がまもなく到来することと、Ｗｅｂページの閲覧を促すメールをサーバから顧客が受け取ることにより、安心、確実に、緊急防災商品の交換の手続きが進められる。又、顧客が自主的に緊急防災商品を注文する場合にも好適に利用できる。
【発明を実施するための最良の形態】
【００１０】
以下、実施例を示した図面を参照しつつ本発明の実施の形態を説明する。
図１に於いて、１は、本発明の緊急防災商品リース管理システムを示し、緊急防災商品リース管理システム１は、インターネット２を介して顧客端末３，３…と通信自在に接続されるサーバ４が、顧客情報を格納する顧客情報データベース（ＤＢ）５と、緊急防災商品のリース情報を格納するリース情報データベース６と、緊急防災商品のリース情報を掲載するＷｅｂページを格納するＷｅｂサイト７とを備えたシステムである。
【００１１】
尚、前記顧客端末３は、図１に示すように、デスクトップパソコン３（３Ａ）、ノートパソコン３（３Ｂ）、携帯端末３（３Ｃ）等からなり、顧客の数に対応して１乃至複数台存在する。
前記サーバ４はコンピュータであり、１台で構成されるが、複数台から構成されても良い。
尚、図１に於いて、８は、携帯端末３（３Ｃ）の基地局を示す。
【００１２】
そして、前記サーバ４は、定期的にリース情報データベース６にアクセスし、リース情報データベース６のリース情報に基づき、Ｗｅｂページのリース情報について、緊急防災商品の交換時期の到来を知らせる案内情報を更新するＷｅｂページ更新手段２１と、リース情報データベース６から、緊急防災商品の交換時期がまもなく到来する情報を定期的に抽出する抽出手段２２と、抽出した情報に基づき、緊急防災商品の交換時期がまもなく到来することと、Ｗｅｂページの閲覧を促すメールを顧客情報データベース５から抽出したメールアドレスを付与して顧客別に作成するメール作成手段２３と、作成したメールを顧客端末に送信するメール送信手段２４と、顧客端末３からＷｅｂページにアクセスがあると、Ｗｅｂページを送信するＷｅｂページ送信手段２５と、顧客端末３からＷｅｂページを介して緊急防災商品の注文を受信する注文受信手段２６と、注文に基づく発送が行なわれと、発送に基づくデータの入力により、リース情報データベース６を更新するリース情報データベース更新手段２７とを備えている。
尚、前記各手段は、サーバ４のＣＰＵが必要なコンピュータプログラムを読み込んで実行することにより実現される手段である。
【００１３】
図２は、前記緊急防災商品の一例を示している。図２（ａ）に示すＡセットはリュック、ヘルメット、マスク等の２０品以上の緊急防災商品から成り、図２（ｂ）に示すＢセットはＡセットの商品に加え、整腸薬、解熱鎮痛剤等の３０品以上の緊急防災商品から成り、図２（ｃ）に示すＣセットはＡセットとＢセットの商品に加え、風邪薬、目薬等の４０品以上の緊急防災商品から成るものである。前記Ａセット〜Ｃセットは顧客が選択してリースする。
前記各セットの商品は、顧客が自由に消費することが可能であり、そのために欠品になる可能性があり、その場合、補充の必要が生じ、又、賞味期限や、使用期限のあるものはその期限内に交換する必要がある。
【００１４】
図３は、前記リース情報データベースのデータ構成図であり、「顧客名」、「項番」、「品名」、「次回交換期限」、「次回交換時期」、「前回交換日」等が格納される。尚、「次回交換時期」は、例えば、「次回交換期限」から商品毎に適した交換の時期を求めた期間であり、「前回交換日」は、例えば、前回交換のために商品を発送した日が格納される。
尚、緊急防災商品の中で、同じ種類の商品がある場合、商品によって、交換期限が異なることも考えられるので、識別番号を付して別々のレコードで管理することが望ましい。
【００１５】
図４は、緊急防災商品の交換時期がまもなく到来することと、Ｗｅｂページの閲覧を促す交換時期のお知らせのメールの一例である。
図５は緊急防災商品の交換時期の到来を知らせる案内情報を含む前記Ｗｅｂページを示している。「顧客名」、「項番」、「品名」、「交換期限」、「交換のお知らせ」等が表示される。図中、交換時期が到来する商品については、その「交換時期のお知らせ」欄に、例えば、「まもなく交換時期となります」と記載される。ページの下部に表示される「注文書に進む」のボタンをクリックすると注文書のＷｅｂページに遷移する。
【００１６】
図６は、緊急防災商品の「注文書」のＷｅｂページであり、「顧客名」、「項番」、「品名」、「交換期限」、「交換のお知らせ」、「注文欄」等が表示される。「交換時期のお知らせ」を参照しながら交換の必要な商品の「注文欄」のチェックボックスをチェックするとチェックした商品が注文予約され、ページの下部に表示される「注文する」のボタンをクリックすると注文が確定し、注文内容がサーバ４に送信される。
【００１７】
図７は、本発明の緊急防災商品リース管理システムの第１実施例の処理のフローチャートを示している。
顧客が、顧客端末３によりサーバ４のＷｅｂページにアクセス要求すると（ステップＳ１）、サーバ４は顧客端末３からアクセス要求を受信し（ステップＳ２）、顧客端末３に図５に示す「交換時期のお知らせ」のＷｅｂページを送信する（ステップＳ３）。
【００１８】
顧客は、顧客端末３により、「交換時期のお知らせ」のＷｅｂページを受信すると（ステップＳ４）、そのＷｅｂページを開き、閲覧することができる（ステップＳ５）。閲覧によって、「交換時期のお知らせ」の欄で「まもなく交換時期となります」と表示されているかどうかを確認し、「まもなく交換時期となります」と表示されているものがあれば、「交換時期のお知らせ」のＷｅｂページから遷移させて「注文書」のＷｅｂページを開き、「注文書」によって、交換時期が到来する緊急防災商品の注文をすると、注文内容は、サーバ４に送信される（ステップＳ６）。
尚、緊急防災商品の交換時期でない場合も、緊急防災商品の補充や、交換、増加等のために「注文書」のＷｅｂページを開いて注文することが可能である。
【００１９】
サーバ４が、顧客端末３からＷｅｂページを介して緊急防災商品の注文を受信すると（ステップＳ７）、サーバ４側で、注文された緊急防災商品の発送作業が行なわれる。
発送作業が行なわれ、その発送データが入力されると、サーバ４は、リース情報データベース６のリース情報を更新する（ステップＳ８）。
【００２０】
第１実施例の処理の場合は、特に、顧客が、緊急防災商品を消費したり、紛失したり、損壊した場合、或いは、商品が傷んでいるものを発見したとき等、緊急防災商品の補充や、交換、追加等のために、顧客から自主的に注文する場合に好適に利用できる。
そして、商品は、補充の場合と、交換の場合があるが、交換の場合は、交換する古い商品は、サーバ４側の販売元の指示により、販売元に返送するか、或いは、顧客側で廃棄することが考えられる。
又、第１実施例の処理の場合は、緊急防災商品の交換時期による交換の場合は、顧客からの注文なしで、販売元から、交換時期に該当する緊急防災商品を自動的に配送する方法を採用することも可能である。
【００２１】
図８は、本発明の緊急防災商品リース管理システムの第２実施例の処理のフローチャートを示している。
前述した第１実施例の処理は、顧客が自由意志により適宜サーバ４のＷｅｂページにアクセス要求する場合の処理であるが、第２の実施例の処理は、顧客が、顧客端末３によりサーバ４から緊急防災商品の交換時期がまもなく到来することと、Ｗｅｂページの閲覧を促すメールを受信し、メール内容に促されてサーバ４のＷｅｂページにアクセス要求する場合の処理である。
【００２２】
サーバ４は、定期的に、リース情報データベース６にアクセスし、リース情報データベース６のリース情報に基づき、Ｗｅｂページのリース情報について、緊急防災商品の交換時期の到来を知らせる案内情報を更新する（ステップＳ２１）。
又、リース情報データベース６から、緊急防災商品の交換時期が近く到来する情報を定期的に抽出し（ステップＳ２２）、抽出した情報に基づき、緊急防災商品の交換時期がまもなく到来することと、Ｗｅｂページの閲覧を促す図４に示すメールに顧客情報データベース５から抽出したメールアドレスを付与して顧客別にメールを作成する（ステップＳ２３）。そして、作成したメールに顧客端末に送信する（ステップＳ２４）。
【００２３】
顧客は、顧客端末３によりサーバ４からメールを受信すると（ステップＳ２５）、メール内容により、緊急防災商品の交換時期が到来することを確認することができ、メール内容に促されてサーバ４のＷｅｂページにアクセス要求する（ステップＳ２６）。
【００２４】
サーバ４は顧客端末３からアクセス要求を受信すると（ステップＳ２７）、顧客端末３に図５に示す「交換時期のお知らせ」のＷｅｂページを送信する（ステップＳ２８）。
【００２５】
顧客は、顧客端末３により、「交換時期のお知らせ」のＷｅｂページを受信すると（ステップＳ２９）、そのＷｅｂページを開き、閲覧することができる。閲覧によって、「交換時期のお知らせ」の欄で「まもなく交換時期となります」と表示されているかどうかを確認し、「まもなく交換時期となります」と表示されているものがあれば、「交換時期のお知らせ」のＷｅｂページから遷移させて「注文書」のＷｅｂページを開き（ステップＳ３０）、「注文書」によって、交換時期が到来する緊急防災商品の注文を予約し、注文を確定すると、注文内容は、サーバ４に送信される（ステップＳ３１）。
尚、「まもなく交換時期となります」と表示されていない緊急防災商品を注文することも可能であり、又、緊急防災商品の交換時期でない場合も、緊急防災商品の補充や、交換、追加等のために「注文書」のＷｅｂページを開いて注文することが可能である。
【００２６】
サーバ４が、顧客端末３からＷｅｂページを介して緊急防災商品の注文を受信すると（ステップＳ３２）、サーバ４側で、注文された緊急防災商品の発送作業が行なわれる。
発送作業が行なわれ、発送データが入力されると、サーバ４は、リース情報データベース６のリース情報を更新する（ステップＳ３３）。
【００２７】
第２実施例の処理の場合は、顧客が、緊急防災商品の交換時期がまもなく到来することと、Ｗｅｂページの閲覧を促すメールをサーバから受け取ることにより、安心、確実に、緊急防災商品の交換の手続きが進められる。
又、この場合も、商品は、交換する場合と補充する場合とがあるが、交換する場合には、交換する古い商品は、サーバ４側の販売元の指示により、販売元に返送するか、或いは、顧客側で廃棄することが考えられる。
【図面の簡単な説明】
【００２８】
【図１】本発明による緊急防災商品リース管理システムのシステム構成図である。
【図２】（ａ）〜（ｃ）本発明による緊急防災商品の説明図である。
【図３】本発明によるリース情報データベースのデータ構成図である。
【図４】本発明による交換時期のお知らせのメールの説明図である。
【図５】本発明による交換時期のお知らせのＷｅｂページの説明図である。
【図６】本発明による注文書のＷｅｂページの説明図である。
【図７】本発明による緊急防災商品リース管理システムに於ける第１実施例の処理のフローチャートである。
【図８】本発明による緊急防災商品リース管理システムに於ける第２実施例の処理のフローチャートである。
【符号の説明】
【００２９】
１  緊急防災商品リース管理システム
２  インターネット
３  顧客端末
４  サーバ
５  顧客情報データベース
６  リース情報データベース
７  Ｗｅｂサイト
２１  Ｗｅｂページ更新手段
２２  抽出手段
２３  メール作成手段
２４  メール送信手段
２５  Ｗｅｂページ送信手段
２６  注文受信手段
２７  リース情報データベース更新手段
【図１】
2010061554.tif 000003
【図２】
2010061554.tif 000004
【図３】
2010061554.tif 000005
【図４】
2010061554.tif 000006
【図５】
2010061554.tif 000007
【図６】
2010061554.tif 000008
【図７】
2010061554.tif 000009
【図８】
2010061554.tif 000010